【事件の表示】
　特許第３４２８５８９号「画像処理プログラムが格納された記録媒体、画像処理プログラム、画像処理装置」の請求項１ないし９に係る特許に対する特許異議の申立てについて、次のとおり決定する。
【結　論】
　訂正を認める。
　特許第３４２８５８９号の請求項１ないし９に係る特許を取り消す。
【理　由】
１．手続の経緯 
 　特許第３４２８５８９号の請求項１ないし９に係る発明は、平成１３年３月３０日に特許出願され、平成１５年５月１６日に特許権の設定登録がなされたものであり、その後特許異議申立人より全請求項の特許に対して特許異議の申立がなされ、当審より全請求項に対して取消理由が通知され、その指定期間内である平成１６年５月３１日に特許権者より意見書とともに訂正請求書が提出されたものである。 
 　 
 ２．訂正の許否についての判断 
 （１）特許権者が、平成１６年５月３１日付訂正請求書において求めている訂正の内容は、次のとおりである。 
　
(a)特許請求の範囲の請求項１を、
　　「【請求項１】　画像処理を行うプログラムが記録され、ソフトウェアによって動作可能なデータ処理装置によって読み取り可能な記録媒体であって、
  前記プログラムは前記データ処理装置に、
  a)γ補正が施された
状態で所定のフォルダに保存された
のすべて
オペレータの操作による前記フォルダの指定に基づいて
　b)読み込んだ各元画像データに対して逆γ補正処理を行い、それぞれ線形画像データを出力する工程と、
　c)前記工程b)において出力された複数の線形画像データ間で演算処理を行い、合成画像データを出力する工程と、
　を実行させ
、
　前記複数の元画像データは、デジタルカメラの撮影モードのうち、合成処理の対象とする複数の画像を撮影するモードにおいて得られて前記フォルダに格納されたものである
　と訂正する。
　
(b)特許請求の範囲の請求項３を、
　　「【請求項３】　請求項１または請求項２に記載の記録媒体であって、
　前記工程c)は、
　c-1)複数の線形画像データ間のマッチング処理を行う工程
と
　c-2)前記工程c-1)後に、前記複数の線形画像データが相互に重ならない部分の画素データを削除する工程と、
を含むことを特徴とする画像処理プログラムが記録された記録媒体。」
　と訂正する。
　
(c)特許請求の範囲の請求項５ を、
　　「【請求項５】　請求項１ないし請求項４のいずれかに記載の記録媒体であって、
　前記プログラムは前記データ処理装置に、さらに、
　e)
オぺレータによる操作に基づいて補間倍率を設定する工程と、
　f)前記工程e)で設定された前記補間倍率に従って、
を含むことを特徴とする画像処理プログラムが記録された記録媒体。」
　と訂正する。
　
(d)特許請求の範囲の請求項８を、
　　「【請求項８】　ソフトウェアによって動作可能なデータ処理装置にインストールされることにより、前記データ処理装置のハードウェア資源を利用して画像処理を実行するプログラムであって、
　前記プログラムは前記データ処理装置に、
　a)γ補正が施された
状態で所定のフォルダに保存された
のすべて
オペレータの操作による前記フォルダの指定に基づいて
　b)各元画像データに逆γ補正処理を行うことにより、それぞれ線形画像データを出力する工程と、
　c)前記工程b)において出力された複数の線形画像データ間で加算を含む画像処理を行い、合成画像データを出力する工程と、
を実行させ
、
　前記複数の元画像データは、デジタルカメラの撮影モードのうち、合成処理の対象とする複数の画像を撮影するモードにおいて得られて前記フォルダに格納されたものであ
　と訂正する。
　
(e)特許請求の範囲の請求項９を、
　　「【請求項９】　γ補正が施された
状態で
のすべてが保存された所定のフォルダを格納
　前記記憶手段から
前記
のすべて
オペレータの操作による前記フォルダの指定に基づいて
　前記画像指定手段が読み込んだ各元画像データに逆γ補正処理を行うことにより、それぞれ線形画像データを出力する線形データ生成手段と、
　前記線形データ生成手段が出力した複数の線形画像データ間で加算を含む画像処理を行い、合成画像データを出力する合成データ生成手段と、
　を備え
、
　前記複数の元画像データは、デジタルカメラの撮影モードのうち、合成処理の対象とする複数の画像を撮影するモードにおいて得られて前記フォルダに格納されたものであ
　 と訂正する。
　
(f)発明の詳細な説明における段落【００１４】 の「上記課題を解決するため、請求項１の発明は、画像処理を行うプログラムが記録され、ソフ卜ウェアによって動作可能なデータ処理装置によって読み取り可能な記録媒体であって、前記プログラムは前記データ処理装置に、a)γ補正が施された複数の元画像データを指定して読み込む工程と、b)読み込んだ各元画像データに対して逆γ補正処理を行い、それぞれ線形画像データを出力する工程と、c)前記工程b対において出力された複数の線形画像データ間で演算処理を行い、合成画像データを出力する工程とを実行させることを特徴とする。」を、「上記課題を解決するため、請求項１の発明は、画像処理を行うプログラムが記録され、ソフトウェアによって動作可能なデータ処理装置によって読み取り可能な記録媒体であって、前記プログラムは前記データ処理装置に、a)γ補正が施された
状態で所定のフォルダに保存された
のすべて
オペレータの操作による前記フォルダの指定に基づいて
、前記複数の元画像データは、デジタルカメラの撮影モードのうち、合成処理の対象とする複数の画像を撮影するモードにおいて得られて前記フォルダに格納されたものであ
　
(g)発明の詳細な説明における段落【００１６】の「請求項３の発明は、請求項1または請求項2に記載の記録媒体であって、前記工程c)は、c-1)複数の線形画像データ間のマッチング処理を行う工程を含むことを特徴とする。」を、「請求項３の発明は、請求項1または請求項2に記載の記録媒体であって、前記工程c)は、c-1)複数の線形画像データ間のマッチング処理を行う工程
と
c-2)前記工程c-1)後に、前記複数の線形画像データが相互に重ならない部分の画素データを削除する工程と
　
(h)発明の詳細な説明における段落【００１８】の「請求項５の発明は、請求項1ないし請求項4のいずれかに記載の記録媒体であって、前記ブログラムは前記データ処理装置に、さらに、e)前記工程b)で出力された各線形画像データに対して画素の補問処理を行う工程を含むことを特徴とする。」 を、「請求項５の発明は、請求項1ないし請求項4のいずれかに記載の記録媒体であって、前記プログラムは前記データ処理装置に、さらに、e)
オペレータによる操作に基づいて補問倍率を設定する工程と、f)前記工程e)で設定された前記補間倍率に従って、
と
　
(i)発明の詳細な説明における段落【００２１】の「請求項８の発明は、ソフトウェアによって動作可能なデータ処理装置にインストールされることにより、前記データ処理装置のハードウェア資源を利用して画像処理を実行するプログラムであって、前記プログラムは前記データ処理装置に、a)γ補正が施された複数の元画像データを読み込む工程と、b)各元画像データに逆γ補正処理を行うことにより、それぞれ線形画像データを出力する工程と、c)前記工程b)において出力された複数の線形画像データ間で加算を含む画像処理を行い、合成画像データを出力する工程とを実行」させることを特徴とする。」を、「請求項８の発明は、ソフトウェアによって動作可能なデータ処理装置にインストールされることにより、前記データ処理装置のハードウェア資源を利用して画像処理を実行するプログラムであって、前記プログラムは前記データ処理装置に、a)γ補正が施された
状態で所定のフォルダに保存された
のすべて
オペレータの操作による前記フォルダの指定に基づいて
、前記複数の元画像データは、デジタルカメラの撮影モードのうち、合成処理の対象とする複数の画像を撮影するモードにおいて得られて前記フオルダに格納されたものであ
　
(j)発明の詳細な説明における段落【００２２】の「請求項９の発明は、画像処理装置であって、γ補正が施された元画像データを蓄積するする記憶手段と、前記記憶手段から複数の元画像データを指定して読み込む画像指定手段と、前記画像指定手段が読み込んだ各元画像データに逆γ補正処理を行うことにより、それぞれ線形画像データを出力する線形データ生成手段と、前記線形データ生成手段が出力した複数の線形画像データ間で加算を含む画像処理を行い、合成画像データを出力する合成データ生成手段とを備えることを特徴とする。」を、「請求項９の発明は、画像処理装置であって、γ補正が施された
状態で
のすべてが保存された所定のフォルダを格納
前記
のすべて
オペレータの操作による前記フォルダの指定に基づいて
、前記複数の元画像データは、デジタルカメラの撮影モードのうち、合成処理の対象とする複数の画像を撮影するモードににおいて得られて前記フォルダに格納されたものであ
　
　（２）訂正の許否についての判断
　そこで、これらの訂正内容が、すべて許されるべきものであるかどうかについて検討する。
　(a)については、 請求項１のa)において「γ補正が施された
状態で所定のフォルダに保存された
のすべて
オペレータの操作による前記フォルダの指定に基づいて
　また、最後の段落で「
前記複数の元画像データは、デジタルカメラの撮影モードのうち、合成処理の対象とする複数の画像を撮影するモードにおいて得られて前記フォルダに格納されたものである
　(b)については、請求項３の工程c)にc-2)の「
前記工程c-1)後に、前記複数の線形画像データが相互に重ならない部分の画素データを削除する工程
　(c)については、請求項５に追加する、オペレータによる操作に基づいて補間倍率を設定する工程e)と前記工程e)で設定された前記補間倍率に従って、前記工程b)で出力された各線形画像データに対して画素の補問処理を行う工程f)は、本件明細書の【００７３】から【００７５】までに記載されているということができる。
　(d)については、請求項８に係るものであるが、訂正内容としては(a)と同様であるから、判断も(a)についてと同様である。
　(e)については、請求項９に係るものであるが、訂正内容としては(a)と同様の内容であるから、判断も(a)についてと同様である。
　そして、(a)〜(e)の訂正内容は、いずれも特許請求の範囲の減縮を目的としているということができる。
　(f)〜(j)については、(a)〜(e)の特許請求の範囲の訂正に伴って、発明の詳細な説明の記載をこれと整合させるものであるから、明りょうでない記載の釈明を目的としているということができる。
　そして、(a)〜(j)のいずれも、本件明細書及び図面に記載した事項の範囲内のものであって、実質上特許請求の範囲を拡張するものとも変更するものとも認められない。
　
 （３）むすび 
 　以上のとおり、本件訂正は、平成１５年法律第４７号による改正前の特許法（以下「旧特許法」という。）第１２０条の４第２項及び同条第３項で準用する同法第１２６条第２項及び第３項の規定に適合するので、本件訂正を認める。 
 　 
 ３．特許異議の申立について 
 （１）本件発明 
 　特許第３４２８５８９号の請求項１ないし９に係る発明は、訂正後の特許請求の範囲の各請求項に記載された次のとおりのものと認められる。（以下、請求項１に係る発明、請求項２に係る発明・・・をそれぞれ「本件発明１」、「本件発明２」・・・という。） 
 「　【請求項１】　画像処理を行うプログラムが記録され、ソフトウェアによって動作可能なデータ処理装置によって読み取り可能な記録媒体であって、
　前記プログラムは前記データ処理装置に、
　a)γ補正が施された
状態で所定のフォルダに保存された
のすべて
オペレータの操作による前記フォルダの指定に基づいて
　b)読み込んだ各元画像データに対して逆γ補正処理を行い、それぞれ線形画像データを出力する工程と、
　c)前記工程b)において出力された複数の線形画像データ間で演算処理を行い、合成画像データを出力する工程と、
を実行させ
、
　前記複数の元画像データは、デジタルカメラの撮影モードのうち、合成処理の対象とする複数の画像を撮影するモードにおいて得られて前記フォルダに格納されたものであ
　　【請求項２】　請求項１に記載の記録媒体であって、
　前記プログラムは前記データ処理装置に、さらに、
　d)前記工程c)において出力された合成画像データに対してγ補正を行い、モニタ表示特性にあわせた画像データを出力する工程、
を実行させることを特徴とする画像処理プログラムが記録された記録媒体。
　　【請求項３】　請求項１または請求項２に記載の記録媒体であって、
　前記工程c)は、
　c-1)複数の線形画像データ間のマッチング処理を行う工程
と
　c-2)前記工程c-1)後に、前記複数の線形画像データが相互に重ならない部分の画素データを削除する工程と、
を含むことを特徴とする画像処理プログラムが記録された記録媒体。
　　【請求項４】　請求項１ないし請求項３のいずれかに記載の記録媒体であって、
　前記逆γ補正処理は、
　出力する前記線形画像データの階調ビット数を、読み込んだ前記元画像データよりも増加させる処理、
を含むことを特徴とする画像処理プログラムが記録された記録媒体。
　　【請求項５】　請求項１ないし請求項４のいずれかに記載の記録媒体であって、
　前記プログラムは前記データ処理装置に、さらに、
　e)
オペレータによる操作に基づいて補間倍率を設定する工程と、
　
f)前記工程e)で設定された前記補間倍率に従って、
と
を含むことを特徴とする画像処理プログラムが記録された記録媒体。
　　【請求項６】　請求項１ないし請求項５のいずれかに記載の記録媒体であって、
　前記工程b)は、
　b-1)前記元画像データのタグ情報から前記元画像データのγ補正設定情報を読み込む工程と、
　b-2)読み込んだ前記γ補正設定情報に基づいて、逆γ補正の設定値を算出する工程と、
を含むことを特徴とする画像処理プログラムが記録された記録媒体。
　　【請求項７】　請求項６に記載の記録媒体であって、
　前記工程b)は、
　b-3)前記工程b-1)において、前記タグ情報から前記γ補正設定情報を読み込むことができない場合、当該元画像データのγ補正設定情報としてデフォルト設定情報を割り当てる工程、
を含むことを特徴とする画像処理プログラムが記録された記録媒体。
　　【請求項８】　ソフトウェアによって動作可能なデータ処理装置にインストールされることにより、前記データ処理装置のハードウェア資源を利用して画像処理を実行するプログラムであって、
　前記プログラムは前記データ処理装置に、
　a)γ補正が施された
状態で所定のフォルダに保存された
のすべて
オペレータの操作による前記フォルダの指定に基づいて
　b)各元画像データに逆γ補正処理を行うことにより、それぞれ線形画像データを出力する工程と、
　c)前記工程b)において出力された複数の線形画像データ間で加算を含む画像処理を行い、合成画像データを出力する工程と、
を実行させ
、
　前記複数の元画像データは、デジタルカメラの撮影モードのうち、合成処理の対象とする複数の画像を撮影するモードにおいて得られて前記フォルダに格納されたものであ
　　【請求項９】　γ補正が施された
状態で
のすべてが保存された所定のフォルダを格納
　前記記憶手段から
前記
のすべて
オペレータの操作による前記フォルダの指定に基づいて
　前記画像指定手段が読み込んだ各元画像データに逆γ補正処理を行うことにより、それぞれ線形画像データを出力する線形データ生成手段と、
　前記線形データ生成手段が出力した複数の線形画像データ間で加算を含む画像処理を行い、合成画像データを出力する合成データ生成手段と、
を備え
、
　前記複数の元画像データは、デジタルカメラの撮影モードのうち、合成処理の対象とする複数の画像を撮影するモードにおいて得られて前記フォルダに格納されたものであ
 　 
 （２）本件出願前に頒布された刊行物に記載の事項 
 　特許異議申立人らが提示し当審の取消理由に引用した各刊行物には次のような記載がある。
 　 
 　刊行物１：特開平１１−２８４８３７号公報（異議申立人提示の甲第１号証）　 
　【発明の詳細な説明】欄の以下の段落番号の箇所には、それぞれ次のような記載がある。
　　　【０００６】
　【発明が解決しようとする課題】
　ところで、あるシーンを光学的に撮影する際に、そのシーンが高コントラストシーンである場合には、撮影媒体の有するダイナミックレンジの関係で、そのシーンの持つ情報（画像）をすべて記録することができず、プリントとして再生するために十分な画像データが得られない場合がある。
　特に、デジタルカメラは、撮影ラチチュード（露光寛容度）が狭いので、高度な技術を持たない一般アマチュアでは、最適な条件で撮影を行うのが困難であり、高コントラストシーンでは、画像のハイライト（最低濃度）の白とびやシャドー（最高濃度）黒のつぶれが発生して、著しく画質の低い画像となってしまうことが多々ある。
　　　【０００７】
　このような問題点を解決するために、デジタルカメラによって、同じシーンを異なる露光条件、例えば、ＣＣＤセンサの蓄積時間を変えて低露光量と高露光量の２条件で撮影して、画像シーンのハイライトからシャドーまでの画像データを白とびや黒つぶれなく得、得られた２つの画像（画像データ）を合成する方法や装置が提案されており、例えば、特開平６−１４１２２９号、同７−１３１７０４号、同７−１３１７１８号の各公報に開示されている。
　これらによれば、撮影ラチチュードの狭いデジタルカメラでも、十分な画像データのダイナミックレンジを確保して、高コントラストシーンでも白とびや黒つぶれのない好適な画像データを得ることができる。
　　　【００１５】
　図１に、本発明の画像処理装置を利用するデジタルフォトプリンタの一例のブロック図が示される。
　図１に示されるデジタルフォトプリンタ（以下、フォトプリンタ１０とする）は、基本的に、フィルムＦに撮影された画像を光電的に読み取るスキャナ（画像読取装置）１２と、読み取られた画像データ（画像情報）の画像処理やフォトプリンタ１０全体の操作および制御等を行う、本発明にかかる画像処理装置１４と、画像処理装置１４から出力された画像データに応じて変調した光ビームで感光材料（印画紙）を画像露光し、現像処理して（仕上り）プリントとして出力するプリンタ１６と、画像処理装置１４から出力された画像データを画像ファイルとしてフロッピーディスク等の記録媒体に記録し、あるいは記録媒体に記録された画像データを読み取って画像処理装置１４等に供給する記録手段２６とを有して構成される。
　また、画像処理装置１４には、様々な条件の入力（設定）、処理の選択や指示、色／濃度補正などの指示等を入力するためのキーボード１８ａおよびマウス１８ｂを有する操作系１８と、スキャナ１２で読み取られた画像、各種の操作指示、条件の設定／登録画面等を表示するディスプレイ２０が接続される。
　　　【００２０】
　なお、本発明を利用するフォトプリンタ１０において、スキャナは、このようなスリット走査によるものに限定はされず、１コマの画像の全面を一度に読み取る、面露光を利用するものであってもよい。
　また、本発明を利用するフォトプリンタ１０においては、スキャナ１２によって読み取ったフィルムＦの画像以外にも、反射原稿の画像を読み取るスキャナ、デジタルカメラやデジタルビデオカメラ等の撮像デバイス、インターネット等のコンピュータ通信、フロッピーディスクやＭＯディスク（光磁気記録媒体）等の画像データ供給源Ｒから画像データを受け取って、これを再生したプリントを作成してもよい。
　　　【００２１】
　前述のように、スキャナ１２やデジタルカメラ等から出力されたデジタル信号
は、画像処理装置１４（以下、処理装置１４とする）に出力される。
　処理装置１４は、データ処理部４０、画像合成部４２、および画像処理部４４を有して構成される。
　なお、処理装置１４には、これ以外にも、処理装置１４を含むフォトプリンタ１０全体の制御や管理を行うＣＰＵ、フォトプリンタ１０の作動等に必要な情報を記憶するメモリ等が配置され、また、操作系１８やディスプレイ２０は、このＣＰＵ等（ＣＰＵバス）を介して各部位に接続される。
　　　【００２３】
　データ処理部４０で処理された画像データは、次いで、画像合成部４２に送られる。
　画像合成部４２は、合成すべき画像データ、すなわち同シーンを異なる露光条件で撮影した複数の画像の画像データが処理装置１４に供給された際に、データ処理部４０で処理された画像データから、合成する画像データを選択して合成する部位である。従って、露光条件の異なる同シーンが他にない画像データは、画像合成部４２で何の処理もされずに、画像処理部４４に送られる。
　なお、本発明において、データ処理部４０で処理された画像データは、必ずしも画像合成部４２に供給されるのに限定はされず、例えば、画像合成を行う際には、オペレータが指示を出して、対応する画像データのみを画像合成部４２に送るようにし、それ以外の画像データは、画像合成部４２を通らずに画像処理部４４に送るようにしてもよい。
　　　【００２４】
　本発明において、同シーンを異なる露光条件で撮影した複数の画像とは、異なる露光量で撮影した同じシーンの画像であり、例えば、フィルムＦの画像であれば、カメラの絞りやシャッタースピードを変えて撮影した同シーンの画像であり、デジタルカメラの画像であれば、ＣＣＤセンサの蓄積時間（電子シャッタスピード）や絞りを変えて撮影した同シーンの画像である。
　特に、スキャナ１２での光電的な読み取りが不要であり、画像合成の際の位置合わせが容易である等の点で、露光条件の異なる同一シーンの画像は、デジタルカメラで撮影された画像、中でもＡＥブラケティング機能を用いて撮影された画像が好適である。また、高速連写が可能なデジタルカメラであれば、動被写体にも対応可能である点でも好ましい。
　　　【００３０】
　このような撮影情報の取得方法には特に限定はなく、例えば、新写真システムのフィルムであれば、フィルムの磁気記録媒体に記録された撮影時間の情報を用いればよく、デジタルカメラで撮影された画像データや各種の記録媒体から供給しておき、これを読み取ればよい。さらに、オペレータがキーボード１８ａ等を用いて撮影情報を入力してもよい。
　また、同シーンの情報としては、新写真システムで磁気記録されるシーン情報も利用可能であり、デジタルカメラ等の撮像デバイスに、同シーンであることを示す情報を画像ファイル（記録媒体）に記録する機能を付けてもよい。
　　　【００３３】
　合成される画像データは２つに限定されず、３以上の画像データを合成するようにしてもよい。
　また、同シーンの画像データのうち、合成に使用されない画像データは不要であるので、合成するデータを選択した時点で、破棄してもよい。
　なお、初めから合成すべき画像データが選択されて供給された場合には、合成画像選択部４６での処理は不要であり、また、常に合成すべき画像データが選択されて供給される処理装置であれば、合成画像選択部４６は不要である。
　　　【００３５】
　Ｄメモリ４８およびＬメモリ５０に記憶された画像データｆd 1 およびｆl 1 は、共に、合成部５２に読み出され、合成されて、１つ（１画像）の画像データｆとされる。
　合成部５２は、Ｄ−ルックアップテーブル（ＬＵＴ）５４と、Ｌ−ＬＵＴ５６と、乗算器５８および６０と、加算器６２および６４とを有して構成される。
　　　【００３８】
　図示例では、画像データを被写体輝度に変換した後に合成を行っているが、２つの画像を滑らかにつなぐという目的に対しては、被写体輝度に変換するＬＵＴを省略してもよい。
　また、このような露光条件の違いの補正方法として、高濃度あるいは低濃度の画像データの一方を基準として、他方の画像データを合わせ込む方法も利用できる。この場合には、Ｄ−ＬＵＴ５４およびＬ−ＬＵＴ５６のうち、基準となる画像データに対応するＬＵＴによる露光条件補正は不要にできる。
　通常、デジタルカメラ等で撮影され、記録媒体に記録された画像信号はＣＲＴモニタ等に表示した際に画像が好ましく見えるように、γ（階調）変換されているものが多い。そこで、カメラのγ変換特性を知見して、被写体輝度への変換ＬＵＴで、その逆変換を行うのが好ましい。例えば、カメラの機種ごとのγ特性をあらかじめ記憶しておき、カメラの機種を前述の撮影情報と同様に取得して、それに応じたγ特性を読み出し、その逆特性をＬＵＴにセットすればよい。
　また、例示では、ΔＬｏｇＥのシフトは加算器６４を用いているが、画像データｆd 1 等を被写体輝度へ変換するＬＵＴと統合することにより、加算器６４を省略することができる。
　　　【００３９】
　加算器６４で処理された被写体輝度データｆd 3 は乗算器５８で、Ｌ−ＬＵＴ５６で処理された画像データｆl 2 は乗算器６０で、それぞれ処理され、加算器６２で加算されて、１つの画像データｆとされる。
　乗算器５８および６０は、両データｆd 3 およびｆl 2 に、重み付け係数ＷｄおよびＷｌを乗算することにより、両画像データのつなぎ目における偽輪郭の発-生等を防止するものである。
　この重み付け係数は、一例として、図４に示されるようなテーブルを用い、式『Ｗｄ＋Ｗｌ＝０』を用いて算出される。この例では、高濃度領域はシャドーのつぶれのない画像データｆd 3 を用い、定濃度領域ではハイライトの飛びのない画像データｆl 2 を用い、両者のつなぎ目では、画像データに応じた重み付けを行って、画像データの合成を行っている。
　　　【００４０】
　画像合成部４２から出力された画像データは、画像処理部４４に送られる。
　画像処理部４４は、データ処理部４０で処理されたデジタルの画像データに所定の画像処理を施し、さらに、画像処理済の画像データを３Ｄ（三次元）−ＬＵＴ等を用いて変換して、プリンタ１６による画像記録やディスプレイ２２への表示に対応する画像データとする部位である。
　画像処理部４４で施される画像処理には特に限定はなく、公知の各種の画像処理が例示されるが、例えば、ＬＵＴを用いたグレイバランス調整、階調補正、および濃度調整、マトリクス（ＭＴＸ）演算による撮影光源種補正や画像の彩度調整、その他、ローパスフィルタ（ＬＰＦ）、加算器、ＬＵＴ、ＭＴＸ等を用いた、また、これらを適宜組み合わせた平均化処理や補間演算等を用いた、電子変倍処理、覆い焼き処理、シャープネス（鮮鋭化）処理等が例示される。
　なお、画像処理部４４での各種の処理条件は、例えば、出力用の画像データを得るための本読み（本スキャン）に先立って行われる、画像を粗に読み取るプレスキャンの画像データや、プリンタ１６への出力用の画像データに対応する画像データを間引いた画像データを用いて設定すればよい。
　
　図面の図１として、開示発明の画像処理装置を利用するデジタルフォトプリンタのブロック図が記載されている。
　
　そこでこれらの記載から把握できる発明について検討する。
　【００３８】にば、デジタルカメラ等で撮影された画像信号はγ（諧調）変換されて記録媒体に記録されることが普通であること、及び、画像を合成するする場合に、γ（諧調）変換がされている画像データについてはその逆変換を行って被写体輝度に変換した後に合成することが好ましいことが説明されている。そして、【００１５】には、記録手段は記録媒体に記録された画像データを読み取って画像処理装置１４に供給することもできる旨説明されており、この画像処理装置１４は複数画像の画像データを合成して１つの画像とするためのものであることが説明されている。また、【００２４】には、合成する複数の画像は、デジタルカメラのＡＥブラケティング機能を用いて撮影した画像が好適である旨、【００３３】には、初めから合成すべき画像データが選択されて供給された場合には、合成画像選択部４６での処理は不要であり、常に合成すべき画像データが選択されて供給される処理装置であれば、合成画像選択部４６は不要であることが説明されている。さらに【００３９】には、合成のための画像処理手段として加算器６２等を用いることが説明されている。
　そうすると、ＡＥブラケティング機能は１度のシャッターレリーズで露光条件を変えた同一シーンの複数の画像を得るようにする機能を意味することを勘案すると、刊行物１には、γ変換が施された複数の画像データを記録する記録媒体と、記録媒体から該複数の画像データを読み込む画像処理装置（手段）と、この読み込んだ画像データに逆変換を行って被写体輝度に変換する手段と、変換後の複数の画像データを加算して合成した画像を得る手段と、を備え、γ変換する前の画像データはＡＥブラケティング機能で撮影して得られたものである画像処理装置の発明（以下「刊行物１発明」という。）も記載されているということができる。
 　 
　刊行物２：特開２０００−２１７０３２号公報（異議申立人提示の甲第２号証） 
　【発明の詳細な説明】欄の以下の段落番号の箇所には、それぞれ次のような記載がある。
　　　【０００１】
　　【発明の属する技術分野】
　この発明は、複数の画像信号から１枚の静止画を生成することができる画像信号処理装置および方法に関する。
　　　【０００９】
　撮影された画像信号Ｐ１と、その次のフレームで撮影された画像信号Ｐ２とを１／ｍ画素の精度で位置合わせするために、ｍ倍に拡大し、位置検出回路によって、画像信号Ｐ１に対して画像信号Ｐ２の位置が検出される。その検出結果から画素ずらし補間、画像変形、さらにｎ枚の画像信号の画素単位の位置合わせが行われる。ｎ枚の画像信号が合成された後、平均化のためｎで割られた後、さらに高域強調フィルタが施される。これらの画像処理がリアルタイムで施される。
　　　【００１８】
　位置検出回路１４では、１フレーム前の画像信号に対して現画像信号はどのような位置にあるか、さらにどのような幾何学的な変形を受けているかが調べられる。この位置検出回路１４は、拡大補間回路１５、１７、ブロック毎の位置検出回路１６および処理演算回路１８から構成される。現画像信号は、拡大補間回路１５へ供給され、２倍〜８倍に拡大される。１フレーム前の画像信号は、拡大補間回路１７へ供給され、２倍〜８倍に拡大される。拡大された現画像信号および１フレーム前の画像信号は、ブロック毎の位置検出回路１６へ供給される。このとき、小さいブロック毎に処理を行うので、拡大補間回路１７は、ブロックサイズだけあれば良く、拡大補間回路１５は、サーチ範囲を必要とするため拡大補間回路１７より広いサイズが必要である。
　　　【００２５】
　出力画像メモリ２３では、位置検出回路１４から供給される整数成分のずれを補正するように、画像信号が書き込まれる。例えば、位置検出回路１４で３．７画素分水平方向にずれていると判断された場合、この出力画像メモリ２３には、位置検出回路１４から整数成分の３が供給される。その整数成分の３のずれを補正するように、出力画像メモリ２３では、画素Ａから画素Ｂの方向へ３画素ずれた位置となるように、画像信号が書き込まれる。すなわち、画素ずらし補間回路２０で０．７画素ずらされ、この出力画像メモリ２３で３画素ずらされる。これによって、水平方向に３．７画素ずれている次のフレームの画像信号と、記憶している画像信号との位置合わせが行われる。位置合わせが行われた記憶している画像信号と、次のフレームの画像信号とは、上述したように加算回路２２で加算される。
　また、【要約】の【解決手段】欄には、「画像処理回路３では、取り込まれたｎ枚の画像信号がリアルタイムで位置合わせ、画像変形、加算される。」という記載もある。
　
　刊行物３：特開２０００−１９６８８９号公報（異議申立人提示の甲第３号証） 
【要約】には次のような記載がある。
　　【課題】　ディザマトリックス変換のためのγ変換の際のビット落ちを防止し、高品質な中間調画像を得ることができる画像形成装置を提供する。
　　【解決手段】　８ビット入力−１２ビット出力のγ変換テーブル１と、１６ビット入力−８ビット出力のディザ変換テーブル２を有する。そして、γ変換テーブル１で、画像データのビット幅８ビットを、画像データ（８ビット）＋マトリックスサイズ（４ビット）の１２ビットに拡張する。そして、このγ変換テーブル１の出力と、副走査カウンタ２０５、主走査カウンタ２０５の出力をディザ変換テーブル２に入力し、ディザ変換処理を行って８ビットの補正画像データを出力する。したがって、ディザマトリックスで表現しうる理想的な濃度数を全て用いたデータ変換を行なうγ補正を行なうことで、高品質な中間調画像を得ることが可能となる。
　
　【発明の詳細な説明】欄の以下の段落番号の箇所には、それぞれ次のような記載がある。
　　　【００１１】
　このように複数画素をまとめて濃度を表現したとしても、画像データと実際の印字濃度との関係は、図１２（ａ）に示すように、やはり非線型な関係になっているので、図１２（ｂ）に示すように、中間調補正曲線を演算により導き出して特性曲線をリニアに補正する処理を行う。これが、γ変換テーブル２０１におけるγ変換であり、例えば図１３に示すようにデータ変換を行うよう、γ変換テーブル２０１を設定する。このようなデータ変換により、画像の階調のリニアリティを向上させている。
　　　【００１７】
　本実施例において、γ変換テーブル１は、８ビット入力−１２ビット出力となっており、ディザ変換テーブル２は、１６ビット入力−８ビット出力となっている。
　
　刊行物４：特開２０００−１３７８０５号公報（異議申立人提示の甲第４号証）　 
【発明の詳細な説明】欄の以下の段落番号の箇所には、それぞれ次のような記載がある。
　　　【０００１】
　　【発明の属する技術分野】
　本発明は画像処理装置及びその方法に関し、特に、画像データに高速に補正を施す画像処理装置及びその方法に関する。
　　　【００４７】
　図９の（ａ）において、プリンタにおけるカラー調整画面の例を操作窓Ｗ１１に示す。操作窓Ｗ１１においては、通常の利用の際には「自動設定」を選択しておくことにより、印刷時の画像データに応じて適切な補正処理が実行される。例えば、処理対象となる画像データにおいてガンマ補正タグが利用可能であればガンマ補正タグを利用した補正が自動的に行われる。一方、ガンマ補正タグが利用不可能であれば、該画像ファイルのプレビュー画像を検索し、プレビュー画像が存在すればそれを解析してガンマ補正値を決定する。また、画像ファイルのプレビュー画像が存在しなければ、印刷時に画像全体を解析してガンマ補正値を決定する。このように、適宜処理を自動的に切り替えて、印刷を実行する。
　　　【００５６】
　例えば、「ファイルのプレビュー画像を解析」の項目が設定された際には、印刷対象ファイルに対応するプレビュー画像が存在すれば、これを解析してガンマ補正値を決定する。この時、画像ファイルに画像補正タグが存在していても、これは無視される。また、ファイルのプレビュー画像が存在しなければ、「印刷時に解析」が強制的に実行される。同様に、「ガンマ補正タグ使用」の項目が設定された際においても、画像ファイルがガンマ補正タグを有していない場合は、強制的に「印刷時に解析」が実行される。いずれの場合においても、印刷時の解析が実行される際には、その解析における種々の設定値として現在の設定値が用いられる。尚、解析に関する設定が一度もなされていない場合には、デフォルト値が用いられる。
　
 （３）本件各発明と各刊行物に開示の発明との対比・判断 
　先に、本件発明９について判断する。 
　本件発明９と刊行物１発明を対比する。
　刊行物１発明における「γ変換」が本件発明９の「γ補正」と同じことを意味していることは明らかであり、また、刊行物１発明における「逆変換を行って被写体輝度に変換する」は、逆γ補正を行うことによりγ補正を行う前の被写体の輝度に比例した画像データとすることを意味しており、被写体の輝度に比例した画像データは線形画像データといえるから、本件発明９の「各元画像データに逆γ補正処理を行うことにより、それぞれ線形画像データを出力する」と同様のことを表現していることは明らかである。さらに、刊行物１発明における画像処理装置部は記録手段に記録された画像データを読み取って合成処理なども行うものであるから、ＡＥブラケティング機能で撮影しγ変換が施されて記録手段に記録された画像を画像合成に利用すべく画像処理装置に取り入れる手段は、本件発明９の記憶手段から複数の元画像データを読み込む画像指定手段に相当することが明らかである。また、刊行物１発明における「ＡＥブラケティング機能」は、本件発明９でいうところの「デジタルカメラの撮影モードのうち、合成処理の対象とする複数の画像を撮影するモード」において実行される機能といえることも明らかである。
　そうすると、本件発明９と刊行物１発明は、表現は異なっていても意味するところが同じものは本件発明９の表現に倣って整理すると、次の一致点及び相違点がある。
［一致点］
　「γ補正が施された状態で元画像データのすべてが記憶される記憶手段と、
　前記記憶手段から複数の元画像データを読み込む画像指定手段と、
　前記画像指定手段が読み込んだ各元画像データに逆γ補正処理を行うことにより、それぞれ線形画像データを出力する線形データ生成手段と、
　前記線形データ生成手段が出力した複数の線形画像データ間で加算を含む画像処理を行い、合成画像データを出力する合成データ生成手段と、
を備え、
　前記複数の元画像データは、デジタルカメラの撮影モードのうち、合成処理の対象とする複数の画像を撮影するモードにおいて得られて記憶されたものであることを特徴とする画像処理装置。」
［相違点］
　本件発明９では、記憶手段に格納記憶される形式が１つの画像に合成処理する元画像データのすべてを保存するフォルダ形式であって、オペレータの操作による前記フォルダの指定に基づいて元画像データのすべてを画像指定手段に読み込むようにしているのに対して、刊行物１にはこの点に関する言及は見当たらず、刊行物１発明では、そのようにしていない点。
　
　そこで、この相違点について検討する。
　まず、本件発明９における「フォルダ」について意味するところを検討するに、本件明細書の発明の詳細な説明の【００９５】以下の説明によると、合成する前の画像データ個々がそれぞれ元画像ファイルとして構成され、１つの画像として合成することとなる元画像ファイルのすべてをもって１つのフォルダを構成するものと解されから、本件発明９における「フォルダ」は、１つの画像に合成する複数のすべての画像データを一括して記憶保存して、これから適宜一括して読み出すことができる複数画像情報の記憶単位のことを意味していると解される。
　そして、本願発明９が、フォルダに１つの画像に合成処理する元画像データのすべてを保存するようにしている点は、１つの画像に合成処理する際に、それに利用する元画像データを一々選択指定しなくてすむようにするためであるが、このようなことは刊行物１の記載から当業者であれば適宜推考しうるものと認められる。すなわち、刊行物１には、合成する複数の画像は、デジタルカメラのＡＥブラケティング機能を用いて撮影した画像が好適である旨、及び、初めから合成すべき画像データが選択されて供給された場合には、合成画像選択部４６での処理は不要であることが説明されており、ＡＥブラケティング機能を用いて撮影した画像のすべてを画像合成に利用するようにした場合においては、初めから合成すべき画像データが選択されて供給された場合に該当することとなって、利用する元画像データを一々選択指定しなくてすむようになり、合成画像選択部４６での処理（選択指定）は不要となるが、ＡＥブラケティング機能で撮影する画像は２ないし数画像が普通であってそのように少ない画像数の場合はその画像全部を画像合成に利用するようにすることは当業者ならばまず最初に考える事項程度のものと認められるから、１つの画像に合成処理する元画像データのすべてを単位として保存するようにする点は、当業者が適宜推考し得る程度のものと認められる。
　そして、１つの画像に合成処理する複数の元画像のデータでフォルダという階層が１段階上の蓄積（格納）単位を作り、画像合成するときはこのフォルダを指定することにより蓄積（格納）したものから画像合成すべき全画像データが読み込まれるようにしたことについて検討すると、データベースなどの検索装置において、データを共通事項に応じて階層構造として分類しておき、適宜の階層を指定してその階層以下に含まれるすべてのデータを取り出すことができるようにすることはきわめて普通にみられる常識的技術であって、このような技術を画像合成に適用することに特段の困難性があるとは認められないから、本件発明９のように、１つの画像に合成処理する複数の画像単位でフォルダという階層が１段階上の蓄積（格納）単位を作り、画像合成するときはこのフォルダを指定することにより画像合成すべき全画像が読み込まれるようにすることは、当業者ならば容易に推考できる程度のものと認められる。
　そうすると、本件発明９は、刊行物１発明に本件出願時点における上記常識的技術を適用することにより当業者が容易になしえたものと認められる。
　
　次に、本件発明８について検討する。
　本件発明８は、いわゆるコンピュータプログラムに係る発明であるが、その特徴とする点は、本件発明９の記憶手段に格納されているフォルダに保存された複数の元画像データを読み込む作業以降の各手段が行う作業を工程として時系列的に特定しただけのものであるから、本件発明８も、本件発明９についての判断と同様に、刊行物１発明に本件出願時点における上記常識的技術を適用することにより当業者が容易になしえたものと認められる。
　
　次に、本件発明１について検討する。
　本件発明１は、いわゆるコンピュータプログラムが記録された記録媒体に係る発明であるが、その特徴とするプログラムに関する点は、本件発明８のプログラムにおけるc)工程において「加算を含む画像処理を行い」と特定されている点を「演算処理を行い」と上位概念で特定した点を除いて異ならないが、下位概念で特定されている点を上位概念で特定してもその下位概念部分を特に排除するような限定がなされない限りその上位概念は下位概念を含んでいる点で発明の新規性・進歩性の有無の判断に影響は及ぼさないないから、本件発明１も、本件発明８についての判断と同様に、刊行物１発明に本件出願時点における上記常識的技術を適用することにより当業者が容易になしえたものと認められる。
　
　本件発明２について検討する。
　本件発明２は、本件発明１において実行されるプログラムに、データ処理装置にさらに、d)前記工程c)において出力された合成画像データに対してγ補正を行い、モニタ表示特性にあわせた画像データを出力する工程、を実行させるようにしたものであるが、刊行物１の【００３８】には「通常、デジタルカメラ等で撮影され、記録媒体に記録された画像信号はＣＲＴモニタ等に表示した際に画像が好ましく見えるように、γ（階調）変換されているものが多い。」と記載されているように、記録された画像信号をそのままＣＲＴ等に表示した際に画像が好ましく見えるようにするために、あらかじめγ（階調）変換しておくことは慣用技術といえるから、合成画像データに対してγ補正を行い、モニタ表示特性にあわせた画像データを出力する工程をさらに付加するようにすることは当業者が適宜なし得る事項にすぎないものと認められる。
　そうすると、本件発明２も、刊行物１に記載された発明と当業者の常識的技術に基づいて容易になしえたものと認められる。
　
　本件発明３について検討する。
　本件発明３は、本件発明１または２において実行されるプログラムに、データ処理装置に行わせるc)工程がc-1)複数の線形画像データ間のマッチング処理を行う工程と、c-2)前記工程c-1)後に、前記複数の線形画像データが相互に重ならない部分の画素データを削除する工程と、を含むようにしたものである。
　ところが、刊行物２に、複数の画像信号から１枚の静止画を生成する過程で、ｎ枚の画像信号の画素単位の位置合わせを行うことが記載されており、このｎ枚の画像信号の画素単位の位置合わせを行うのは、本件発明３のc-1)工程の複数の線形画像データ間のマッチング処理を行うことに相当するということができる。　また、本件発明３のc-2)工程についてみると、複数の線形画像データが相互に重ならない部分の画素データは、そもそも加算などの演算対象にすること自体意味のないことであるから、そのようなデータをあらかじめ削除するようにしておくことは、当業者が適宜なしうる設計事項程度のことと認められる。
　そうすると、本件発明３も、刊行物１及び２に記載された発明と当業者の常識的技術に基づいて容易になしえたものと認められる。
　
　本件発明４について検討する。
　本件発明４は、本件発明１ないし３のいずれかにおいて実行されるプログラムに、逆γ補正処理が、出力する線形画像データの階調ビット数を、読み込んだ前記元画像データよりも増加させる処理を含むようにしたものである。
　逆γ補正処理において、出力する線形画像データの階調ビット数を、読み込んだ前記元画像データよりも増加させることについては、明細書の発明の詳細な説明の【００６５】から【００６８】に説明されている。
　そこでその説明内容についてみると、【００６７】の記載における「横軸をγ補正後の出力データ」は「横軸を逆γ補正後の出力データ」の誤記としても（γ補正後のデータは逆γ補正前のデータであるから、横軸をγ補正後のデータとすると、縦軸と横軸は同じものとなる。）、【００６８】の「８bitの画像データを１０bitの画像データに変換することにより、変換直後には、使用されない階調領域が存在することになる。しかし、後の合成処理によって、これら１０bitの複数の画像データ間で画素値の平均処理等がおこなわれた場合には、これら未使用の階調領域が使用される場合が生じる。」という説明は、図１７を参酌しても何故「変換直後には、使用されない階調領域が存在することにな」るのか理解しがたい。すなわち、図１７においては、８bitの００００００００が１０bitの００００００００００に対応し、８bitの１１１１１１１１（１０進法で表して２５５）が１０bitの１１１１１１１１１１（１０進法で表して１０２３）に対応し、これらの間の数値も（ある８bitの数値は２つの１０bitの数値に対応することはあるが）８bitの数値と１０bitの数値とは図１７のような関係となっているものであるから、８bitの数値も１０bitの数値もその中間の値（最大値の２分の１の値）を超える数値は最上位のbitが１となり、従って、最大値と最小値の間のすべての数値において常に０となるようなbitはあり得ないから、１０bitのうちに常に０となるようなビットがあることを意味すると解される「使用されない階調領域」が、何故変換直後に存在するのか明らかでなく、そのような諧調領域は存在しないものと考えられる。
　一方、【００６６】には、デジタルカメラで撮影されたγ補正する前の画像データは１０bitでこれをγ補正して８bitにすることが普通である旨説明されている。
　そうすると、画像を合成するために加算などを行うときに、（その画像データがγ補正されたものでは非線形性となっていて利用しがたいので、）線形性を得るために逆γ補正するときは、γ補正する前のものと同じ画像データ形式、すなわち１０bitの画像データとするようにすることは、当業者ならばまず最初に考える程度のことと考えられ、そのようにすることは、逆γ補正処理は、出力する線形画像データの階調ビット数を、読み込んだ前記元画像データよりも増加させる処理を含んでいることとなるから、結局、逆γ補正処理が、出力する線形画像データの階調ビット数を、読み込んだ前記元画像データよりも増加させる処理を含むようにした点は当業者ならば適宜推考し得る程度のものと認められ、本件発明４も、刊行物１及び２に記載された発明と当業者の常識的技術に基づいて容易になしえたものと認められる。
　
　本件発明５について検討する。
　本件発明５は、本件発明１ないし４のいずれかにおいて実行されるプログラムに、前記プログラムは前記データ処理装置に、さらに、e)オペレータによる操作に基づいて補間倍率を設定する工程と、f)前記工程e)で設定された前記補間倍率に従って、前記工程b)で出力された各線形画像データに対して画素の補間処理を行う工程、を含むようにしたものである。
　ところが、刊行物２に、画像信号をｍ倍に拡大補間してそれらを加算することにより合成することが記載されており、ｍの数値例として２〜８が示されている。　刊行物２には、この数値範囲の数値がどのようにして決められるのか説明されていないが、１つの数値でなく数値範囲として示されているから、この範囲の中の数値、例えば２，４または８等をその装置の利用者が選択指定できるようにすることは、当業者ならば容易に推考できるものと認められる。そして、そのように選択指定できるようにしたものは、e)オペレータによる操作に基づいて補間倍率を設定する工程と、f)前記工程e)で設定された前記補間倍率に従って、前記工程b)で出力された各線形画像データに対して画素の補間処理を行う工程、を経るようになることは明らかであるから、結局、本件発明５も、刊行物１及び２に記載された発明と当業者の常識的技術に基づいて容易になしえたものと認められる。
　
　本件発明６について検討する。
　本件発明６は、本件発明１ないし５のいずれかにおいて実行されるプログラムのb)工程に、b-1)前記元画像データのタグ情報から前記元画像データのγ補正設定情報を読み込む工程と、b-2)読み込んだ前記γ補正設定情報に基づいて、逆γ補正の設定値を算出する工程と、を含むことを特徴とするものである。
　他方、刊行物４には、画像データのガンマ補正タグをみて、印刷出力の際の補正を自動的に行われるようにすることが記載されており、この記載からは、出力情報を得る際にガンマ補正タグの情報を利用して出力情報がより適切なものとなるように補正を施す、ということが把握できる。そうすると、画像合成する際にγ補正されている画像に逆γ補正を施して合成することは刊行物１などで公知の技術であるから、画像データに逆γ補正をするための情報を、γ補正に関する情報のタグから得て補正のための設定値を算出するようにする、すなわちb)工程に、b-1)前記元画像データのタグ情報から前記元画像データのγ補正設定情報を読み込む工程と、b-2)読み込んだ前記γ補正設定情報に基づいて、逆γ補正の設定値を算出する工程と、を含むようにすることも当業者であれば容易に推考できるものと認められる。そうすると、本件発明６も、刊行物１、２及び４に記載された発明と当業者の常識的技術に基づいて容易になしえたものと認められる。
　
　本件発明７について検討する。
　本件発明７は、本件発明６において実行されるプログラムのb)工程に、b-3)前記工程b-1)において、前記タグ情報から前記γ補正設定情報を読み込むことができない場合、当該元画像データのγ補正設定情報としてデフォルト設定情報を割り当てる工程、を含むことを特徴とするものである。
　ところが、情報処理手段を利用して制御を行う装置全般において、利用者が可変値を設定できるものにおいても、設定が省略されたり設定し忘れた場合等にも処理自体はできるように、設定される可能性の高い値等をデフォルト値として事前に準備しておき設定が省略されたり設定し忘れた場合等にこの値に設定するようにすることが慣用技術となっている。また、刊行物４には、ガンマ補正タグが利用不可能で、しかも画像の解析に関する設定が一度もなされていない場合には、デフォルト値が用いられることが説明されており、これから、処理に必要な情報がタグ等から得られない場合には、デフォルト値を用いるようにする、ということことが把握できるから、本件発明６において実行されるプログラムのb)工程に、b-3)前記工程b-1)において、前記タグ情報から前記γ補正設定情報を読み込むことができない場合、当該元画像データのγ補正設定情報としてデフォルト設定情報を割り当てる工程、を含むようにすることは、当業者が容易に推考できる程度のものと認められる。そうすると、本件発明７も、刊行物１、２及び４に記載された発明と当業者の常識的技術に基づいて容易になしえたものと認められる。
　
 ４．むすび 
 　以上のとおり、本件請求項１ないし９に係る発明は、刊行物１、２及び４に記載された発明ならびに当業者の常識的技術に基づいて当業者が容易に発明をすることができたものであるから、これらについての特許は、特許法第２９条第２項の規定に違反してされたものである。 
 　従って、本件請求項１ないし９に係る発明についての特許は、旧特許法第１１３条第２号に該当し、取り消されるべきものである。 
 　よって、結論のとおり決定する。 
【異議決定日】
平成１７年３月２３日（２００５．３．２３）
【訂正の要旨】
審決（決定）の【理由】欄参照。
（５４）【発明の名称】
画像処理プログラムが格納された記録媒体、画像処理プログラム、画像処理装置
（５７）【特許請求の範囲】
　【請求項１】　画像処理を行うプログラムが記録され、ソフトウェアによって動作可能なデータ処理装置によって読み取り可能な記録媒体であって、
　前記プログラムは前記データ処理装置に、
　ａ）γ補正が施された
状態で所定のフォルダに保存された
のすべて
オペレータの操作による前記フォルダの指定に基づいて
　ｂ）読み込んだ各元画像データに対して逆γ補正処理を行い、それぞれ線形画像データを出力する工程と、
　ｃ）前記工程ｂ）において出力された複数の線形画像データ間で演算処理を行い、合成画像データを出力する工程と、
を実行させ
、
　前記複数の元画像データは、デジタルカメラの撮影モードのうち、合成処理の対象とする複数の画像を撮影するモードにおいて得られて前記フォルダに格納されたものであ
　【請求項２】　請求項１に記載の記録媒体であって、
　前記プログラムは前記データ処理装置に、さらに、
　ｄ）前記工程ｃ）において出力された合成画像データに対してγ補正を行い、モニタ表示特性にあわせた画像データを出力する工程、
を実行させることを特徴とする画像処理プログラムが記録された記録媒体。
　【請求項３】　請求項１または請求項２に記載の記録媒体であって、
　前記工程ｃ）は、
　ｃ−１）複数の線形画像データ間のマッチング処理を行う工程
と
　ｃ−２）前記工程ｃ−１）後に、前記複数の線形画像データが相互に重ならない部分の画素データを削除する工程と、
を含むことを特徴とする画像処理プログラムが記録された記録媒体。
　【請求項４】　請求項１ないし請求項３のいずれかに記載の記録媒体であって、
　前記逆γ補正処理は、
　出力する前記線形画像データの階調ビット数を、読み込んだ前記元画像データよりも増加させる処理、
を含むことを特徴とする画像処理プログラムが記録された記録媒体。
　【請求項５】　請求項１ないし請求項４のいずれかに記載の記録媒体であって、
　前記プログラムは前記データ処理装置に、さらに、
　ｅ）
オペレータによる操作に基づいて補間倍率を設定する工程と、
　
ｆ）前記工程ｅ）で設定された前記補間倍率に従って、
と
を含むことを特徴とする画像処理プログラムが記録された記録媒体。
　【請求項６】　請求項１ないし請求項５のいずれかに記載の記録媒体であって、
　前記工程ｂ）は、
　ｂ−１）前記元画像データのタグ情報から前記元画像データのγ補正設定情報を読み込む工程と、
　ｂ−２）読み込んだ前記γ補正設定情報に基づいて、逆γ補正の設定値を算出する工程と、
を含むことを特徴とする画像処理プログラムが記録された記録媒体。
　【請求項７】　請求項６に記載の記録媒体であって、
　前記工程ｂ）は、
　ｂ−３）前記工程ｂ−１）において、前記タグ情報から前記γ補正設定情報を読み込むことができない場合、当該元画像データのγ補正設定情報としてデフォルト設定情報を割り当てる工程、
を含むことを特徴とする画像処理プログラムが記録された記録媒体。
　【請求項８】　ソフトウェアによって動作可能なデータ処理装置にインストールされることにより、前記データ処理装置のハードウェア資源を利用して画像処理を実行するプログラムであって、
　前記プログラムは前記データ処理装置に、
　ａ）γ補正が施された
状態で所定のフォルダに保存された
のすべて
オペレータの操作による前記フォルダの指定に基づいて
　ｂ）各元画像データに逆γ補正処理を行うことにより、それぞれ線形画像データを出力する工程と、
　ｃ）前記工程ｂ）において出力された複数の線形画像データ間で加算を含む画像処理を行い、合成画像データを出力する工程と、
を実行させ
、
　前記複数の元画像データは、デジタルカメラの撮影モードのうち、合成処理の対象とする複数の画像を撮影するモードにおいて得られて前記フォルダに格納されたものであ
　【請求項９】　γ補正が施された
状態で
のすべてが保存された所定のフォルダを格納
　前記記憶手段から
前記
のすべて
オペレータの操作による前記フォルダの指定に基づいて
　前記画像指定手段が読み込んだ各元画像データに逆γ補正処理を行うことにより、それぞれ線形画像データを出力する線形データ生成手段と、
　前記線形データ生成手段が出力した複数の線形画像データ間で加算を含む画像処理を行い、合成画像データを出力する合成データ生成手段と、
を備え
、
　前記複数の元画像データは、デジタルカメラの撮影モードのうち、合成処理の対象とする複数の画像を撮影するモードにおいて得られて前記フォルダに格納されたものであ
【発明の詳細な説明】
　【０００１】
　【発明の属する技術分野】
　本発明は、複数の画像を合成することにより、高解像度の画像、階調幅を広げた画像等を生成する画像処理ソフトウェアの処理技術に関する。
　【０００２】
　【従来の技術】
　デジタルカメラなどの画像撮影装置によって複数回に渡り静止画を撮影し、撮影された複数の画像データを合成することにより、高画質の画像を生成する従来技術が存在する。
　【０００３】
　（１）特開平９−２６１５２６においては、ブレの影響が出ない程度にシャッタースピードを短く設定し、連続して撮影した複数枚の画像をブレ量に応じて加算合成することにより、ブレ補正を行う技術が開示されている。
　【０００４】
　（２）特開平１０−１０８０５７においては、合焦位置を変更した複数回の撮影によって得られた複数の画像データを合成することにより、距離の異なる被写体全てにピントの合った画像データを生成する技術が開示されている。
　【０００５】
　（３）特公平８−１７４５６においては、奇数フィールドと偶数フィールドとで露出時間を変えて撮影し、両者のうち、つぶれていない部分を合成することにより、実質的にダイナミックレンジを広げた画像データを生成する技術が開示されている。
　【０００６】
　（４）特許第２６３５９１７においては、撮像素子を移動させて撮影した４ポジションの画像データから１枚の静止画像を作成することにより、画像の高解像度化を図る技術が開示されている。
　【０００７】
　さらに、上記の例に留まらず、複数の静止画を合成することにより様々な映像効果を引き出す技術、画質の改善を可能とした技術が実施されている。
　【０００８】
　【発明が解決しようとする課題】
　このような複数画像の合成処理により、様々な映像効果を得ることや、画質を改善することが可能となるが、これらは、合成対象である画像データの階調特性に直線性が確保されていることが前提となっている。
　【０００９】
　ここで、ＣＣＤやＣＭＯＳセンサ等の半導体撮像素子は、入出力特性の直線性が優れていることが知られている。したがって、ＣＣＤからの出力データをそのまま利用して合成処理を行う画像合成システムにおいては問題はない。
　【００１０】
　これに対し、一般のデジタルカメラにおいては、ＣＣＤからの出力データであるアナログ信号をＡ／Ｄ変換した後、パソコンモニタの表示特性に合わせたγ補正を行っている。つまり、デジタルカメラから出力される画像ファイルは、γ補正処理が施された後に、ＴＩＦＦないしＪＰＥＧ形式で出力されたファイルである。
　【００１１】
　このようにしてデジタルカメラから出力された画像ファイルは、パソコンモニタを通して見る限りにおいては、入出力特性の直線性は問題ない。しかし、ファイルとして記録されている画像データの入出力特性は非線形になっている。
　【００１２】
　従って、一般のデジタルカメラで撮影された画像データを利用して、加算処理を行うことは本来できないし、無理に多重合成処理を行った場合には、出力画像データの階調特性は狂ってしまう結果となる。
　【００１３】
　そこで、本発明は上記問題点に鑑み、デジタルカメラから出力された画像ファイルに対して、画質の劣化を招くことなく、パソコン上で加算処理を行うことを可能としたソフトウェアを提供することを目的とする。
　【００１４】
　【課題を解決するための手段】
　上記課題を解決するため、請求項１の発明は、画像処理を行うプログラムが記録され、ソフトウェアによって動作可能なデータ処理装置によって読み取り可能な記録媒体であって、前記プログラムは前記データ処理装置に、ａ）γ補正が施された
状態で所定のフォルダに保存された
のすべて
オペレータの操作による前記フォルダの指定に基づいて
、前記複数の元画像データは、デジタルカメラの撮影モードのうち、合成処理の対象とする複数の画像を撮影するモードにおいて得られて前記フォルダに格納されたものであ
　【００１５】
　請求項２の発明は、請求項１に記載の記録媒体であって、前記プログラムは前記データ処理装置に、さらに、ｄ）前記工程ｃ）において出力された合成画像データに対してγ補正を行い、モニタ表示特性にあわせた画像データを出力する工程を実行させることを特徴とする。
　【００１６】
　請求項３の発明は、請求項１または請求項２に記載の記録媒体であって、前記工程ｃ）は、ｃ−１）複数の線形画像データ間のマッチング処理を行う工程
と
ｃ−２）前記工程ｃ−１）後に、前記複数の線形画像データが相互に重ならない部分の画素データを削除する工程と
　【００１７】
　請求項４の発明は、請求項１ないし請求項３のいずれかに記載の記録媒体であって、前記逆γ補正処理は、出力する前記線形画像データの階調ビット数を、読み込んだ前記元画像データよりも増加させる処理を含むことを特徴とする。
　【００１８】
　請求項５の発明は、請求項１ないし請求項４のいずれかに記載の記録媒体であって、前記プログラムは前記データ処理装置に、さらに、ｅ）
オペレータによる操作に基づいて補間倍率を設定する工程と、ｆ）前記工程ｅ）で設定された前記補間倍率に従って、
と
　【００１９】
　請求項６の発明は、請求項１ないし請求項５のいずれかに記載の記録媒体であって、前記工程ｂ）は、ｂ−１）前記元画像データのタグ情報から前記元画像データのγ補正設定情報を読み込む工程と、ｂ−２）読み込んだ前記γ補正設定情報に基づいて、逆γ補正の設定値を算出する工程とを含むことを特徴とする。
　【００２０】
　請求項７の発明は、請求項６に記載の記録媒体であって、前記工程ｂ）は、ｂ−３）前記工程ｂ−１）において、前記タグ情報から前記γ補正設定情報を読み込むことができない場合、当該元画像データのγ補正設定情報としてデフォルト設定情報を割り当てる工程を含むことを特徴とする。
　【００２１】
　請求項８の発明は、ソフトウェアによって動作可能なデータ処理装置にインストールされることにより、前記データ処理装置のハードウェア資源を利用して画像処理を実行するプログラムであって、前記プログラムは前記データ処理装置に、ａ）γ補正が施された
状態で所定のフォルダに保存された
のすべて
オペレータの操作による前記フォルダの指定に基づいて
、前記複数の元画像データは、デジタルカメラの撮影モードのうち、合成処理の対象とする複数の画像を撮影するモードにおいて得られて前記フォルダに格納されたものであ
　【００２２】
　請求項９の発明は、画像処理装置であって、γ補正が施された
状態で
のすべてが保存された所定のフォルダを格納
前記
のすべて
オペレータの操作による前記フォルダの指定に基づいて
、前記複数の元画像データは、デジタルカメラの撮影モードのうち、合成処理の対象とする複数の画像を撮影するモードにおいて得られて前記フォルダに格納されたものであ
　【００２３】
　【発明の実施の形態】
　以下、図面を参照しつつ本発明の実施の形態について説明する。
　【００２４】
　図１は、デジタルカメラ１、および、デジタルカメラ１で撮影した画像データに対して画像処理を行うデータ処理装置としてのパーソナルコンピュータ（以下、パソコンと略す）２を示している。
　【００２５】
　デジタルカメラ１で撮影された画像データは、たとえば、メモリカード１１に記録される。オペレータは、画像データの記録されたメモリカード１１をデジタルカメラ１から抜き出し、パソコン２に装備されたカードスロット２５に挿入する。そして、パソコン２上で動作する画像ソフトウェア等によって、デジタルカメラ１で撮影した画像を閲覧することが可能である。また、画像処理ソフトウェアを利用することによって、撮影した画像に画像処理を施すことが可能である。
　【００２６】
　デジタルカメラ１で撮影した画像データは、また、ＵＳＢケーブル等を利用してパソコン２側に転送するようにしてもよい。パソコン２に取り込まれた画像は、ディスプレイ２３において確認することや、画像ソフトウェアを利用して、プリンタ３０に出力することが可能である。
　【００２７】
　｛１．複数回撮影により生成された画像データ｝
　＜１−１　画像処理モード＞
　デジタルカメラ１は、出力した画像ファイルに対して様々な画像処理を施すことを前提としたいくつかの撮影モード（以下、画像処理モードと呼ぶ）を有している。
　【００２８】
　画像処理モードは、レリーズ時に撮影条件を変えて、もしくは、撮影条件をそのままで、被写体を連続して複数回撮影し、その撮影によって得られた複数枚の撮影画像をそれぞれメモリカード１１に記録するモードである。
　【００２９】
　このモードで連続して撮影された複数枚の撮影画像は、パソコン２等の画像処理装置で所定の画像処理が施され、合成して元の撮影画像よりも画質や映像効果の高い画像を生成するために用いられる。
　【００３０】
　本実施の形態におけるデジタルカメラ１は、画像処理モードとして、「ボケ味調整モード」、「階調調整モード」、「超解像モード」などを有している。以下、３つの画像処理モードについて概略を説明するが、ここでは、簡単のため、２つの撮影画像Ａ，Ｂから１つの合成画像データを生成する場合を例として説明する。
　【００３１】
　「ボケ味調整モード」とは、１回のシャッタ操作で合焦位置を変化させて連続して２回の撮影動作を行い、主被写体（たとえば人物など）に対して焦点を合わせた撮影画像Ａと、主被写体の背景に焦点を合わせた撮影画像Ｂとを得る撮影モードである。後の画像処理において、これら撮影画像Ａ，Ｂを合成することにより所望のボケ具合を有する画像を得ることが可能である。
　【００３２】
　「階調調整モード」とは、１回のシャッタ操作で露光条件を変化させて連続して２回の撮影動作を行い、主被写体に対して露出を合わせた撮影画像Ａと、主被写体の背景に露出を合わせた撮影画像Ｂとを得る撮影モードである。後の画像処理において、これら撮影画像Ａ，Ｂを合成することにより、たとえば、画面全体に適正な濃度分布を有する画像や主被写体と背景とのコントラストを意図的に大きくし、創作性の強い画像を得ることが可能である。
　【００３３】
　「超解像モード」とは、１回のシャッタ操作でピントや露出条件を変えないで連続して最低２回の撮影動作を行い、Ａ回目の撮影とＢ回目の撮影との間で僅かに異なるカメラアングルの相違により画面内の主被写体の位置が微小変化した撮影画像Ａと撮影画像Ｂとを得る撮影モードである。主被写体に対する撮影位置が互いに微小変化した撮影画像Ａ，Ｂとを合成することにより、元の撮影画像よりも解像度の高い画像を得ることが可能である。
　【００３４】
　＜１−２　保存形態＞
　デジタルカメラ１で撮影された画像データは、メモリカード１１に記録される。通常の撮影モードにおいては、メモリカード１１には、ＪＰＥＧ等の圧縮処理が施された撮影画像のデータと、この画像データから作成されたサムネイル画像のデータと、撮影画像に関する情報が記述されたタグ情報とが、たとえばＥＸＩＦ（Ｅｘｃｈａｎｇｅａｂｌｅ　Ｉｍａｇｅ　Ｆｉｌｅ　Ｆｏｒｍａｔ）形式の画像ファイルとして記録される。
　【００３５】
　図２は、メモリカード１１に記録された画像ファイルの記録方式を示している。画像ファイルは、タグ情報を格納する付加情報エリア５１、撮影画像のデータを格納する実画像エリア５２、サムネイル画像のデータを格納するサムネイル画像エリア５３とに区分されている。
　【００３６】
　上述した画像処理モードで撮影された撮影画像Ａ，Ｂについても基本的には、同様の方式でメモリカード１１に記録される。ただし、実画像エリア５２には、撮影画像が非圧縮のＴＩＦＦ（Ｔａｇ　Ｉｍａｇｅ　Ｆｉｌｅ　Ｆｏｒｍａｔ）形式の画像データとして記録される。これは、撮影画像Ａ，Ｂは画像合成によって画質を改善するためのものであるから、画質の低下要因となる非可逆圧縮処理は行わないためである。
　【００３７】
　また、撮影画像Ａ，Ｂはボケ味や階調や解像度などの優れた画像を形成するために用いられるので、各画像ファイルのタグ情報には画像合成用の撮影画像であることが認識できる情報が含まれている。なお、撮影画像Ａ，Ｂともサムネイル画像が記録される。
　【００３８】
　タグ情報には、撮影焦点距離や撮影Ｆナンバーなどの撮影条件についての情報や、想定γ値が記録されている。想定γ値は、その画像ファイルが表示されると想定されているモニタの表示特性である。たとえば、パソコン等のディスプレイを想定している場合には、γ値は２．２と想定し、それに対応したγ補正が施されていることになる。
　【００３９】
　図３は、メモリカード１１に記録された各画像ファイルの保存形態を示している。撮影画像Ａ，Ｂは、パソコン２において合成処理を行うために、それらの組み合わせが明確となるように保存されていることが望ましい。そこで、これら撮影画像Ａ，Ｂは同一のフォルダ内に保存するようにしている。図に示すｆｏｌｄｅｒ１１は、合成処理の対象となる１群の画像ファイルを保存しているフォルダである。ここでは、合成処理の対象となる撮影画像のファイルがＰ０００００１．ｔｉｆ〜Ｐ００００１０．ｔｉｆまで１０ファイルが存在していることを示している。これら各画像ファイルは前述の如く、非圧縮の撮影画像データと、サムネイル画像データと、タグ情報とが図２に示す保存方式で記録されている。
　【００４０】
　｛２．γ補正と線形性｝
　パソコン等のディスプレイの表示特性は、一般に非線形である。たとえば、図４に示すように、入力画像データの輝度値と、表示画像の輝度値との間の関係は、γ＝２．２の非線形特性をもっている。
　【００４１】
　したがって、ディスプレイ上で画像ファイルを正しい色で表示させるためには、画像入力装置は、ディスプレイの表示特性を考慮したγ補正を行ったうえで画像ファイルを出力する必要がある。このため、画像入力装置においては、図５に示すように，入力した画像にγ補正をかけて出力するようにしている。つまり、デジタルカメラ１から出力された画像ファイルは、全てγ補正処理がかけられたデータである。
　【００４２】
　しかし、このγ補正がかけられたデータは、ディスプレイに表示させた際の入出力特性の線形性を確保するものであり、データ自体には線形性が保たれていない。このようなγ補正がかけられた画像データを用いて、合成処理を行った場合には、階調特性が狂うこととなる。
　【００４３】
　そこで、本実施の形態における画像処理装置においては、以下に示すように、階調特性を正常に保ちながら、合成処理を行うことを可能とするものである。
　【００４４】
　｛３．画像処理装置の構成｝
　次に、画像処理装置の構成について説明する。本実施の形態においては、画像処理装置は、パソコン２と、パソコン２にインストールされた画像処理プログラム６５などにより構成されている。
　【００４５】
　図１および図６に示すように、パソコン２には、マウス２２１、キーボード２２２等からなる操作部２２と、ディスプレイ２３が接続されている。パソコン２の本体は、ＣＰＵ２１３、メモリ２１５、ビデオドライバ２１６、ハードディスク２４等を備えており、ハードディスク２４内には、画像処理プログラム６５が保存されている。また、ビデオドライバ２１６を制御することにより、画像ファイルなどをディスプレイ２３に表示する。
　【００４６】
　また、パソコン２には、外部とのインタフェースとして、カードＩＦ２１１、通信ＩＦ２１４を備えている。ＣＰＵ２１３上で動作するプログラムは、カードＩＦ２１１を介してメモリカード１１内のデータを読み取ることが可能であり、通信ＩＦ２１４を介して外部と通信可能としている。通信ＩＦ２１４は、ＵＳＢインタフェースやＬＡＮインタフェースなどを含んでいる。
　【００４７】
　また、パソコン２は記録メディアドライブ２１２を備えており、記録メディアドアライブ２１２に挿入したＣＤ−ＲＯＭもしくはＤＶＤ−ＲＯＭ等のメディア１２にアクセス可能である。
　【００４８】
　本実施の形態にかかる画像処理プログラム６５は、メディア１２を媒体として提供されてもよいし、通信ＩＦ２１４を介して、インターネットやＬＡＮ上のサーバなどから供給されるようにしてもよい。
　【００４９】
　｛４．超解像度処理｝
　＜４−１　ファイル選択による処理フロー＞
　次に、画像処理プログラム６５の処理内容について図７から図１５までの図面を参照しながら説明する。以下の説明では、合成処理の対象となる画像ファイルは、デジタルカメラ１において「超解像モード」で撮影された画像ファイルであり、画像処理プログラム６５を実行させて、超解像処理を行う場合を例として説明する。
　【００５０】
　まず、図７および図８のフローチャートを用いて超解像処理を説明する。オペレータは、操作部２２を用いた所定の操作を行い、画像処理プログラム６５を起動させる。これにより、たとえば、ディスプレイ２３には、画像処理メニューが表示される。画像処理メニューには、「ボケ味調整処理」、「階調調整処理」、「超解像処理」などの処理メニューが一覧表示されている。さらに、オペレータが所定の操作を行い「超解像処理」を選択することによって、図９に示すように、超解像処理画面７１がディスプレイ２３に表示される。
　【００５１】
　オペレータは、次に、ファイルボタン７１３を選択する。ボタンの選択は、たとえば、マウス２２１を操作してカーソル９０をファイルボタン７１３上に移動させたうえで、選択指示を出すことによって行われる。
　【００５２】
　ファイルボタン７１３が選択されると、ファイル指定画面７２が表示される。ファイル指定画面７２は、ハードディスク２４内に蓄積されている元画像ファイル６０を指定する画面である。
　【００５３】
　ここで、元画像ファイル６０とは、デジタルカメラ１において画像処理モードで撮影された画像ファイル（前述した撮影画像Ａ，Ｂ等）である。デジタルカメラ１で出力された元画像ファイル６０は、前述のごとく、メモリカード１１や通信ＩＦ２１４を利用して、ハードディスク２４内に保存されている。
　【００５４】
　オペレータが、元画像ファイル６０が保存されているフォルダ名を、フォルダ指定エリア７２１に指定すると、ファイル表示エリア７２２には、指定したフォルダ内のファイルが一覧表示される。ここでは、例としてｆｏｌｄｅｒ１１内の元画像ファイルＰ０００００１．ｔｉｆとＰ０００００２．ｔｉｆの２つのファイルに対する処理について示す。
　【００５５】
　オペレータは、マウス２２１等を操作することにより、指定するファイル名を個別に指定したうえでＯＫボタン７２３を選択する。これにより、ファイル指定操作が完了する。操作を中止するときには、キャンセルボタン７２４を選択すればよい。
　【００５６】
　オペレータがマウス２２１等を操作して、これら２つの元画像ファイル６０を指定すると、この指定操作に応答して、指定された元画像ファイル６０がハードディスク２４からメモリ２１５内に読み込まれる（ステップＳ１０１）。ここでは、元画像ファイル６０Ａ，６０Ｂの２つの画像ファイルが指定されたものとする。
　【００５７】
　これによって、各元画像ファイル６０Ａ，６０Ｂの各実画像エリア５２に記録されている元画像データ６１Ａ，６１Ｂ、各サムネイル画像エリア５３に記録されているサムネイル画像６７Ａ，６７Ｂ、各タグ情報エリア５１に記録されているタグ情報６８Ａ，６８Ｂがメモリ２１５に読み込まれる。なお、図６中、元画像データ６１Ａ，６１Ｂを元画像データ６１として図示し、サムネイル画像６７Ａ，６７Ｂをサムネイル画像データ６７として図示し、タグ情報６８Ａ，６８Ｂをタグ情報６８として図示している。
　【００５８】
　次に、読み込んだサムネイル画像データ６７Ａ，６７Ｂが、超解像処理画面７１のサムネイル画像表示エリア７１１，７１２に表示される（ステップＳ１０２）。図９は、２つのサムネイル画像データ６７Ａ，６８Ｂが表示された状態を示している。表示されている画像は、実際には、わずかにアングルのことなる２枚の画像である。
　【００５９】
　この状態で画像処理プログラム６５は、超解像処理の実行待機状態となる（ステップＳ１０３）。そして、オペレータが、マウス２２１等を操作して、実行ボタン７１５を選択すると、超解像処理の実行指示ありと判断し（ステップＳ１０３でＹｅｓ）、１枚目の元画像データ６１Ａが読み込まれ（ステップＳ１０４）、超解像処理を開始する。
　【００６０】
　なお、超解像処理の実行に先立って各種設定操作を行うことが可能である。オペレータが、設定ボタン７１６を選択することによって、図１１に示すような設定画面７３が表示される。後述するが、この画面において、γ値や補間倍率などの設定値を変更することが可能である。
　【００６１】
　超解像処理の実行が開始すると、図１２に示すように、カーソル９０が時計表示９１に変化して実行状態に推移したことを示すとともに、プログレスバー９２が表示されて、実行経過を視覚的に表示するようにしている。なお、実行を中止したい場合には、中止ボタン７１７を選択することによって、超解像処理を中止することができる。
　【００６２】
　次に、元画像ファイル６０Ａのタグ情報６８Ａを参照し、γ設定値の記述があるか否かを判定する（ステップＳ１０５）。ここで、γ設定値とは、図２で示した想定γ値のことであり、元画像データ６１Ａが、デジタルカメラ１で撮影された際に、どのようなγ補正が施されたかを確定する情報となる。
　【００６３】
　元画像データ６１Ａのタグ情報に、想定γ値が記録されている場合には（ステップＳ１０５でＹｅｓ）、当該元画像データ６１Ａに対して、想定γ値と同じγ値を用いた階調変換を行う（ステップＳ１０６）。この処理を逆γ補正処理と呼ぶ。
　【００６４】
　たとえば、想定γ値が２．２である場合には、デジタルカメラ１において、その画像データには、γ＝１／２．２＝０．４５５のγ補正処理が行われていることになる。したがって、このγ補正処理が行われている画像データに対して、γ＝２．２の逆γ補正処理を行うことにより、画像データの線形性を確保するのである。
　【００６５】
　また、逆γ補正処理は、入力画像データに対して、出力画像データのビット数を増加させるようにしている。たとえば、元画像データ６１が８ｂｉｔの画像データである場合に、逆γ補正処理を行うことにより、その出力される画像データは１０ｂｉｔの画像データとなるように処理するのである。
　【００６６】
　デジタルカメラで撮影された画像データは、デジタルカメラのＣＣＤから、例えば１０ｂｉｔの画像データとして出力される。そして、デジタルカメラにおいては、さらに、１０ｂｉｔの画像データにγ補正を行い８ｂｉｔの画像データとして出力している。図１７は、横軸をγ補正前の入力データ、縦軸をγ補正後の出力データとした、γ関数を示すものである。つまり、入力データの最大輝度（１０２３）が、γ補正後の最大輝度（２５５）となるようなγ補正が行われている。
　【００６７】
　したがって、逆γ補正処理においては、逆に、図１７の縦軸を逆γ補正前の入力データ、横軸をγ補正後の出力データとするような変換が行われるのである。
　【００６８】
　８ｂｉｔの画像データを１０ｂｉｔの画像データに変換することにより、変換直後には、使用されない階調領域が存在することになる。しかし、後の合成処理によって、これら１０ｂｉｔの複数の画像データ間で画素値の平均処理等がおこなわれた場合には、これら未使用の階調領域が使用される場合が生じる。したがって、合成画像を生成するうえでは有効な処理となるのである。以下の説明において、逆γ補正処理は、すべて、階調のビット数を増加させる処理となっている。
　【００６９】
　元画像データ６１Ａのタグ情報６８Ａに、想定γ値が記録されていない場合には（ステップＳ１０５でＮｏ）、デフォルトγ値を想定γ値とみなして逆γ補正処理が行われる（ステップＳ１０７）。図１１に示す設定画面７３における入力エリア７３１は、デフォルトγ値の入力フォームであり、たとえば、図では、デフォルトγ値＝２．２に設定されていることを示している。また、入力エリア７３２には、デフォルトγ値の設定値に対して、どのようなγ補正が施されているかを示す値が表示される。オペレータは、この入力エリア７３１に数値を入力することでデフォルトγ値を任意に変更することが可能である。デフォルトγ値を変更する場合には、所望の値を入力エリア７３１に入力したうえでＯＫボタン７３４を選択する。また、キャンセルする場合には、キャンセルボタン７３５を選択すればよい。
　【００７０】
　ステップＳ１０６もしくはステップＳ１０７において、逆γ補正処理が行われると、次に、１枚目の元画像データ６１Ａに補間処理を行い、画像サイズを元の画像サイズのｎ倍にする。
　【００７１】
　補間処理について説明する。超解像処理においては、カメラアングルの僅かな相違により撮影位置がわずかに変位した元画像データ６１Ａ，６１Ｂを合成することにより、解像度の高い画像を得る処理である。
　【００７２】
　ここで、撮影位置がわずかに変位した元画像データ６１Ａ，６１Ｂを合成する際には、両画像データの位置合わせをしたうえで、元画像データ６１Ａ，６１Ｂを合成する必要がある。この位置合わせ処理においては、元画像データ６１Ａ，６１Ｂの解像度が高ければ高い程、高い精度で位置合わせを行うことが可能である。
　【００７３】
　そこで、合成処理に先立って、元画像データ６１Ａ，６１Ｂについて補間処理を行い、各画像データの解像度を高くしたうえで、位置合わせ処理を行うようにしているのである。
　【００７４】
　補間処理は、キュービック・コンボリュージョン法、クゥオドラティックスプライン法、インテグレーティング・リサンプラー法など周知の方式が存在し、いずれの方式を採用するかは特に限定されない。また、図１１に示した設定画面７３において、オペレータは、補間倍率を任意に設定することが可能である。オペレータは、キーボード２２２等を操作して補間倍率入力エリア７３３内に数値を入力することによって、補間倍率を設定することが可能である。図では、補間倍率入力エリア７３３に補間倍率が４．０に設定されている状態を示している。また、上述した各補間方法（キュービック・コンボリュージョン法等）を選択するようにしてもよい。
　【００７５】
　再び、図７のフローチャートを参照して説明する。ステップＳ１０８において、設定された補間倍率（ｎ倍）に従って画素データが補間されると、元画像データ６１Ａは、線形画像データ６２Ａとしてメモリ２１５に書き込まれる。
　【００７６】
　次に、２枚目の元画像データ６１Ｂが読み込まれる（ステップＳ１０９）。元画像データ６１Ｂに関しても、同様に、まず、タグ情報６８Ｂ内に想定γ値が設定されているか否かの判定を行い（ステップＳ１１０）、想定γ値が設定されている場合には、想定γ値に基づいて逆γ補正処理を行う（ステップＳ１１１）。また、想定γ値が設定されていない場合には、デフォルトγ値による逆γ補正処理を行う（ステップＳ１１２）。
　【００７７】
　次に、元画像データ６１Ｂに対しても、同様に、補間処理を行い、画像サイズを元のサイズのｎ倍にする（ステップＳ１１３）。ステップＳ１０８，Ｓ１１３の補間処理においては、元画像データ６１Ａ，６１Ｂは、ともに、各画素間にあらたな画素を補間することにより、そのサイズは４倍になっているものとする。このようにして、元画像データ６１Ｂの画素データが補間されると、メモリ２１５には、線形画像データ６２Ｂとして書き込まれる。なお、図中、線形画像データ６２Ａ，６２Ｂを線形画像データ６２と総称して図示している。
　【００７８】
　このようにして、逆γ補正処理が行われることにより、線形性を有し、かつ、補間処理が施された２つの線形画像データ６２Ａ，６２Ｂがメモリ２１５に書き込まれる。
　【００７９】
　次に、図８に示すように、線形画像データ６２Ａ，６２Ｂとの位置合わせ（レジストレーション処理）が行われる（ステップＳ１１４）。レジストレーション処理は、合成対象となる両画像の位置のずれを決定する処理である。
　【００８０】
　ここで、図１８を参照しながら、第１画像Ｆ１と第２画像Ｆ２の位置合わせを行う方法について説明する。位置合わせは、第２画像Ｆ２をＸ方向およびＹ方向について平行移動させながら、数１の式で示す相関係数Ｃ（ξ，η）が最小となる移動量を求めるものである。
　【００８１】
　【数１】＊ＩＭＧ［Ｐ２６−０３６２−１］。
　【００８２】
　数１式において、ｘ，ｙは画像中心を原点とする直角ＸＹ平面座標系における座標変数であり、Ｐ１（ｘ，ｙ）は第１画像Ｆ１の座標位置（ｘ，ｙ）における画素データのレベルを表し、Ｐ２（ｘ−ξ，ｙ−η）は第２画像Ｆ２の座標位置（ｘーξ，ｙーη）における画素データのレベルを表している。すなわち、数１式で示す相関係数Ｃ（ξ，η）は、両画像の対応する画素データのレベルの差を二乗し、その値を全画素データにおいて総和したものである。そして、第２画像Ｆ２の移動量となる（ξ，η）を変化させた時、相関係数Ｃが最小となる（ξ，η）が、最も両画像の図柄がマッチングする第２画像Ｆ２の移動量となるわけである。
　【００８３】
　本実施の形態では、例えば第２画像Ｆ２のＸ座標の移動量となるξを−８０〜＋８０まで、Ｙ座標の移動量であるηを−６０〜＋６０までそれぞれ変化させて、相関係数Ｃが最小となる移動量（ξ，η）を（ｘ３，ｙ３）として算出するようにしている。なお、Ｘ、Ｙの移動量±８０、±６０は、画像サイズや想定されるずれ量によって適宜設定すればよい。
　【００８４】
　また、この位置合わせ処理においては、人間の視覚特性上解像度に与える影響の大きいＧの色成分のみを用いるようにしてもよい。このようにした場合、人間の視覚特性上解像度に与える影響の小さいＲ，Ｂの色成分については、Ｇの色成分で算出された移動量を利用することで、位置合わせ処理の簡略化をすることができる。
　【００８５】
　そして、線形画像データ６２Ｂを、ステップＳ１１４で求めたずれ量に基づいて平行移動させて、線形画像データ６２Ｂと線形画像データ６２Ａの位置を合わせる（ステップＳ１１５）。そして、平行移動を行った後に両画像データの重ならない部分の画素データを削除する。このようにして、画像の合成に必要にならない部分（図１８のハッチングによって示した部分）の画素データの削除を行い、正確な位置合わせが行われた、合成に必要な画素データのみを取得することができる。
　【００８６】
　次に、線形画像データ６２Ａと線形画像データ６２Ｂとを平均処理することにより、あらたな合成画像データ６３を生成する（ステップＳ１１６）。ここで、平均処理とは、位置合わせが行われた線形画像データ６２Ａ，６２Ｂの同一座標位置の各輝度値の平均をとり、この平均輝度値を画素値とする新たな画像を生成する処理である。
　【００８７】
　以上の処理によって、元画像ファイル６０Ａ，６０Ｂとから、１枚の合成画像データ６３が生成される。この合成処理は、元画像データ６１Ａ，６１Ｂとを、逆γ補正処理することによって線形画像としたうえで合成しているため、階調特性に狂いが生じることはない。
　【００８８】
　次に、合成された画像をモニタに表示することを考慮して、合成画像データ６３にγ補正を施す（ステップＳ１１７）。このγ補正処理は、元画像ファイル６０のタグ情報６８に含まれていた想定γ値に基づいて行われる。
　【００８９】
　元画像ファイル６０Ａ（もしくは６０Ｂ）のタグ情報に含まれていた想定γ値が２．２である場合、デジタルカメラ１において元画像データ６０Ａ，６０Ｂには、それぞれγ＝１／２．２のγ補正処理が施されている。そして、この元画像データ６１Ａ，６１Ｂは、それぞれステップＳ１０６，Ｓ１１１において、γ＝２．２の逆γ補正処理が行われているので、再び、合成画像データ６３に対して、γ＝１／２．２のγ補正処理を行うことにより、モニタの階調特性に適合した画像データに戻すのである。
　【００９０】
　γ補正処理が行われると、図１３に示すように、結果表示画面７４が表示され（ステップＳ１１８）、オペレータは、ディスプレイ２３上で、生成された合成画像を確認することができる。
　【００９１】
　合成画像表示ウィンドウ７４を表示させると、画像保存の指示待ち状態となる（ステップＳ１１９）。ここで、オペレータが、結果表示画面７４に設けられた保存ボタン７４１をマウス２２１等の操作により選択すると、画像保存指示がされたと判断し（ステップＳ１１９でＹｅｓ）、合成画像データ６３と、合成画像データ６３から生成されるサムネイル画像と、タグ情報とからなる合成画像ファイル６４が生成され、ハードディスク２４に保存される。
　【００９２】
　画像保存処理を終了すると、再び、図９に示す超解像画面７１の表示状態に復帰する。また、合成画像データ６３が、結果表示画面７４に表示されている状態で、オペレータが、キャンセルボタン７４２を選択した場合には、メモリ２１５に一時保存されている線形画像データ６２や合成画像データ６３が削除され、再び、図９に示す状態に復帰する。
　【００９３】
　このようにして、ハードディスク２４に保存された合成画像データ６３は、わずかに異なるカメラアングルの相違により撮影された２枚の元画像データ６１Ａ，６１Ｂとを合成することにより、元の撮影画像よりも解像度の高い画像となっている。さらに、２枚の元画像データ６１Ａ，６１Ｂに対して、逆γ補正処理を施し、その階調特性に線形性をもたせたうえで合成処理を行っているため、その加算処理において、階調特性にひずみが生じることなく、高解像度、かつ、画質の優れた合成画像が得られるのである。
　【００９４】
　以上、「超解像モード」で撮影された画像ファイルに対して、「超解像処理」を実行する場合を例として説明したが、「ボケ味調整モード」、「階調調整モード」で撮影された画像ファイルに対して、それぞれ「ボケ味調整処理」、「階調調整処理」を実行させる場合も同様である。それぞれの画像処理の目的は異なるが、いずれの場合であっても、上述した処理フローと同様に、元画像データを逆γ補正したうえで、演算処理を行うことにより、階調特性をひずませることなく、画質の優れた合成画像を得ることができるのである。
　【００９５】
　＜４−２　フォルダ選択によるバッチ処理フロー＞
　次に、バッチ処理フローについて説明する。上記＜４−１＞で説明した超解像処理は、まず、ステップＳ１０１において、複数の元画像ファイルを個別に指定することから始まる。バッチ処理フローにおいては、フォルダを指定することにより、個々のファイルの指定操作を不要とし、一括処理することが可能である。
　【００９６】
　図１４および図１５のフローチャートを参照しながら、バッチ処理フローについて説明する。図９に示した超解像処理画面７１が表示された状態において、オペレータが、マウス２２１等を操作することにより、バッチ処理ボタン７１４を選択する。これによって、図１６に示すように、フォルダ指定画面７５が表示される。
　【００９７】
　ここで、オペレータは、マウス２２１等を操作し、ハードディスク２４内に階層構造をもって保存されている元画像ファイル６０の所在を探り、特定のフォルダを指定する。ここでは、図３に示したようなフォルダ構成において、オペレータがｆｏｌｄｅｒ１１を選択した場合を例に説明する。
　【００９８】
　オペレータによって、ｆｏｌｄｅｒ１１が選択されると、画像処理プログラム６５は、ｆｏｌｄｅｒ１１に保存されている全てのファイルを指定する（ステップＳ２０１）。そして、フォルダ指定画面７５が終了し、再び、超解像処理画面７１がアクティブとなり、超解像処理の指示待ち状態となる（ステップＳ２０２）。
　【００９９】
　そして、オペレータが、実行ボタン７１５を選択操作することにより、超解像処理の指示ありと判定し（ステップＳ２０２でＹｅｓ）、次に、逆γ補正未処理ファイルリストを生成する（ステップＳ２０３）。
　【０１００】
　初期状態では、逆γ補正未処理ファイルリストには、選択されたすべての元画像ファイル６０のファイル名がリストアップされる。つまり、この例では、Ｐ０００００１．ｔｉｆ〜Ｐ００００１０．ｔｉｆの１０個のファイル名がリストされている。
　【０１０１】
　次に、画像処理プログラム６５は、繰り返し処理のカウンタｋに１をセットする（ステップＳ２０４）。このカウンタｋは、Ｐ０００００１．ｔｉｆ〜Ｐ００００１０．ｔｉｆの１０個のファイルにシーケンシャルに振られる番号に対応することになる。
　【０１０２】
　そして、ｋ番目の元画像ファイル６０（ｋ＝１において、Ｐ０００００１．ｔｉｆ）を読み込み（ステップＳ２０５）、タグ情報６８の中に、想定γ値が設定されているか否かの判定を行い（ステップＳ２０６）、想定γ値が設定されている場合（ステップＳ２０６でＹｅｓ）には、想定γ値に基づいた逆γ補正処理を行う（ステップＳ２０７）。また、想定γ値が設定されていない場合（ステップＳ２０６でＮｏ）には、デフォルトγ値に基づいて逆γ補正処理を行う（ステップＳ２０８）。
　【０１０３】
　さらに、ｋ番目（１番目）元画像データ６１に対して補間処理を行い、画素データの補間を行う（ステップＳ２０９）。このように、逆γ補正処理と補間処理が行われた元画像データ６１は、線形画像データ６２として保存され、逆γ補正未処理ファイルリストから、ｋ番目（１番目）の元画像ファイル（Ｐ０００００１．ｔｉｆ）名が削除され、リストが更新される（ステップＳ２１０）。
　【０１０４】
　そして、逆γ補正未処理ファイルリストに、未処理のファイルが残っていないかの判定を行い（ステップＳ２１１）、未処理ファイルがある場合（ステップＳ２１１でＮｏ）には、カウンタｋを１インクリメントし（ステップＳ２１２）、ステップＳ２０５に戻り、ｋ＋１番目（２番目）の元画像ファイル（Ｐ０００００２．ｔｉｆ）について、同様に、逆γ補正処理と補間処理を行う。
　【０１０５】
　以上の処理を繰り返し、１０番目の元画像ファイル（Ｐ００００１０．ｔｉｆ）までの処理が終了すると、未処理ファイルがないと判定し（ステップＳ２１１でＹｅｓ）、繰り返し処理を終了し、次のステップに移行する。
　【０１０６】
　次に、画像処理プログラム６５は、重ね合わせ未処理リストを作成する（ステップＳ２１３）。初期状態では、重ね合わせ未処理リストには、逆γ補正処理が行われたすべての元画像ファイル６０のファイル名がリストアップされる。つまり、ここでは、Ｐ０００００１．ｔｉｆ〜Ｐ００００１０．ｔｉｆの１０個のファイル名がリストされている。
　【０１０７】
　次に、画像処理プログラムは繰り返し処理のカウンタｋに２をセットし（ステップＳ２１４）、１番目の線形画像データ６２とｋ番目（２番目）の線形画像データ６２のレジストレーション処理を行う（ステップＳ２１５）。そして、ｋ番目（２番目）の線形画像データ６２を平行移動し、１番目の線形画像データ６２にｋ番目（２番目）の線形画像データ６２を加算する（ステップＳ２１６）。加算処理は、位置合わせをした両線形画像データの各座標位置の輝度値を加算し、加算した輝度値を１番目の線形画像データ６２の新たな画素値とする処理である。
　【０１０８】
　加算処理が終了すると、重ね合わせ未処理リストから、ｋ番目（２番目）の元画像ファイルのファイル名（Ｐ０００００２．ｔｉｆ）を削除し、リストを更新する（ステップＳ２１７）。
　【０１０９】
　そして、重ね合わせ未処理リストに、未処理ファイルが残っていないかの判定を行い（ステップＳ２１８）、未処理ファイルが残っている場合（ステップＳ２１８でＮｏ）には、ｋを１インクリメントし（ステップＳ２１９）、再び、ステップＳ２１５において、１番目の線形画像データ６２と３番目の線形画像データ６２とのレジストレーション処理を行い、加算処理を行う（ステップＳ２１５，Ｓ２１６）。ここで、１番目の線形画像データ６２は、繰り返し処理の１回目において、２番目の線形画像データ６２の画素値が加算されているので、繰り返し処理の２回目においては、１番目から３番目までの線形画像データ６２が加算処理されることになる。
　【０１１０】
　このような処理を１０番目の線形画像データ６２まで処理することにより、重ね合わせ未処理リストから未処理ファイルがなくなると（ステップＳ２１８でＹｅｓ）、１番目から１０番目までの全ての線形画像データ６２が加算されている１番目の線形画像データ６２の各画素値に対して平均処理を行う（ステップＳ２２０）。この例では、１０個の線形画像データ６２を加算しているので、加算された画像データの各画素値を１０で割ることにより、合成画像データ６３が生成される。
　【０１１１】
　次に、合成画像データ６３に、γ補正処理を行い（ステップＳ２２１）、図１３で示したように、合成画像データ６３を表示する（ステップＳ２２２）。ここで、オペレータが、保存ボタン７４１を選択すると、画像保存が指示されたと判定し（ステップＳ２２３でＹｅｓ）、合成画像データ６３に、サムネイル画像データ、タグ情報が付加されて合成画像ファイル６４が作成され、合成画像ファイル６４が、ハードディスク２４に保存する（ステップＳ２２４）。
　【０１１２】
　オペレータがキャンセルボタン７４２を選択した場合（ステップＳ２２３でＮｏ）には、メモリ２１４に一時保存されている線形画像データ、合成画像データを消去し、再び、超解像処理画面７１に戻る。
　【０１１３】
　このようにして、同様に、高解像度、かつ、高画質の合成画像を生成することが可能であるが、バッチ処理を行う場合には、合成対象である個々の元画像ファイルを指定する操作が不要であるので、煩雑な操作をすることなく、合成処理を行うことが可能である。
　【０１１４】
　また、ボケ味調整処理や階調調整処理においても、同様に、バッチ処理を行うことで、操作性の向上を図りながら、画質に優れた合成画像を得ることが可能である。
　【０１１５】
　【発明の効果】
　以上説明したように、請求項１記載の発明では、γ補正が施された複数の元画像データに対して逆γ補正を行い、階調特性に線形性をもたせたうえで、合成処理を行うので、階調特性を狂わせることなく、高画質の合成画像を生成することが可能である。
　【０１１６】
　請求項２記載の発明では、逆γ補正を行い合成された合成画像データに対して、再び、γ補正を施したうえでファイル出力するので、生成された合成画像ファイルは、通常の画像ファイルと同様、パソコン等のモニタにおいて正常に表示することが可能である。
　【０１１７】
　請求項３記載の発明では、階調特性に線形性をもたせた複数の画像データに対して、マッチング処理を行い位置合わせをしたうえで合成処理を行うことにより、高画質の合成画像データを出力することが可能である。
　【０１１８】
　請求項４記載の発明では、逆γ補正処理は、階調ビット数を増加させるようにしているので、元画像ファイルの階調ビット数を越えた領域で、合成処理が可能となる。
　【０１１９】
　請求項５記載の発明では、逆γ補正を施した画像データについて、画素の補間処理を行い、解像度を上昇させたうえで合成処理を行うので、より精度の高い合成処理が可能となる。
　【０１２０】
　請求項６記載の発明では、元画像データのタグ情報に記録されているγ補正設定情報をもとに、逆γ補正を行うことにより、確実に、線形性を有する画像データに変換することが可能である。
　【０１２１】
　請求項７記載の発明では、元画像データのタグ情報にγ補正設定情報が記録されていない場合であっても、デフォルト設定されたγ値をもとに、逆γ補正を行うことが可能である。
　【０１２２】
　請求項８記載の発明は、逆γ補正を行ったうえで合成処理を行うプログラムに関するものであり、当該プログラムをコンピュータにインストールすることにより、コンピュータにおいて当該画像処理を実行させることが可能である。
　【０１２３】
　請求項９記載の発明は、逆γ補正を行ったうえで合成処理を行う装置に関するものであり、デジタルカメラ等で撮影された複数の画像ファイルに対して、階調特性を狂わせることなく合成処理を実行することが可能である。
【図面の簡単な説明】
　【図１】
　画像処理を行うパソコンとデジタルカメラとを示す概観図である。
　【図２】
　画像ファイルの記録方式を示す図である。
　【図３】
　フォルダごとに管理される画像ファイルの保存状態を示す図である。
　【図４】
　ディスプレイの表示特性を示す図である。
　【図５】
　デジタルカメラにおいて行われるγ補正の特性を示す図である。
　【図６】
　パソコンのブロック構成図である。
　【図７】
　ファイル指定による超解像処理のフローチャートである。
　【図８】
　ファイル指定による超解像処理のフローチャートである。
　【図９】
　ディスプレイ上に表示された超解像処理画面を示す図である。
　【図１０】
　ファイル選択画面を示す図である
　【図１１】
　設定画面を示す図である。
　【図１２】
　超解像処理実行中における超解像処理画面を示す図である。
　【図１３】
　超解像処理の結果表示画面を示す図である。
　【図１４】
　バッチ処理による超解像処理のフローチャートである。
　【図１５】
　バッチ処理による超解像処理のフローチャートである。
　【図１６】
　ディスプレイ上に表示されたフォルダ指定画面を示す図である。
　【図１７】
　階調ビット数が変化するγ関数を示す図である。
　【図１８】
　レジストレーション処理を示す図である。
　【符号の説明】
　１　　　デジタルカメラ
　２　　　パソコン
　１１　　メモリカード
　２４　　ハードディスク
　６０　　元画像ファイル
　６１　　元画像データ
　６２　　線形画像データ
　６３　　合成画像データ
　６４　　合成画像ファイル
　６５　　画像処理プログラム
　７１　　超解像処理画面
　７２　　ファイル指定画面
　７３　　設定画面
　７４　　結果表示画面
　７５　　フォルダ指定画面
　２１３　ＣＰＵ
　２１５　メモリ